(57)【要約】【課題】直流パルス電源装置において、パルス動作による直流リアクトルの磁気飽和を抑制し、磁気飽和による過剰電流の発生を抑制する。【解決手段】本発明の直流パルス電源装置は、パルス動作の起動時において、キャパシタ電圧が直流リアクトルの磁気飽和をリセットするのに十分な電圧まで充電されるまでの間、チョッパ回路のパルス動作のデューティーを制御して、スイッチング素子をオン状態として直流リアクトルを通電状態とするパルス幅を可変とする。パルス幅を漸増することにより直流リアクトル電流の増加の程度を抑制し、直流リアクトル電流を磁気飽和レベル以下に抑制する。これにより、パルス動作の起動時において、直流リアクトルの磁気飽和を抑制する。【選択図】図１
2020174485.tif 000002
【特許請求の範囲】
【請求項１】
直流電源と、
前記直流電源に接続され、直流リアクトルとスイッチング素子の直列回路を備えた昇圧チョッパ回路によりパルス出力を発生するパルス部と、
前記パルス部の直流リアクトルに並列接続されたキャパシタを含み、当該キャパシタのキャパシタ電圧により直流リアクトルの両端電圧をクランプ電圧に制限する電圧クランプ部と、
前記パルス部のスイッチング素子のスイッチング動作を制御する制御回路部を備え、
前記制御回路部は、一定周期でパルス出力を生成するパルスモードのパルス動作を制御するパルスモード制御部を備え、
前記パルスモード制御部は、パルス幅を可変とするデューティー制御部を備え、
前記デューティー制御部は、前記パルス動作の初期段階において、前記スイッチング素子を閉じて直流リアクトルを通電状態とするパルス幅を漸増させることを特徴とする直流パルス電源装置。
【請求項２】
前記デューティー制御部は、
前記パルス動作の初期段階において、
パルス動作の開始時の初期デューティー値、及び
前記パルス幅が漸増する遷移デューティー値を備え、
前記パルス動作の初期段階後の定常段階において、
前記パルス幅が固定された定常デューティー値を備え、
前記キャパシタのキャパシタ電圧又はキャパシタ電圧の電圧変化に基づいて、前記遷移デューティー値から定常モードデューティー値へ切り替えることを特徴とする、請求項１に記載の直流パルス電源装置。
【請求項３】
前記パルスモード制御部は前記キャパシタ電圧の電圧又は電圧変化に基づいてキャパシタの充電状態を判定する電圧判定部を備え、
前記デューティー制御部は、前記電圧判定部がキャパシタ電圧の電圧又は電圧変化により判定した結果に基づいて、前記遷移デューティー値から定常モードデューティー値へ切り替えることを特徴とする、請求項２に記載の直流パルス電源装置。
【請求項４】
前記直流リアクトルのリアクトル電圧の内、設定電圧を超える電圧分を前記直流電源に回生する回生部を備え、
前記回生部は前記直流リアクトルに並列接続された前記キャパシタを備え、前記キャパシタは前記直流リアクトルのリアクトル電圧を回生入力電圧とすることを特徴とする、請求項１〜３の何れか一つに記載の直流パルス電源装置。
【請求項５】
直流電源と、
前記直流電源に接続され、直流リアクトルとスイッチング素子の直列回路を備えた昇圧チョッパ回路によりパルス出力を発生するパルス部と、
前記直流電源に接続され、直流リアクトルとスイッチング素子の直列回路を備えた昇圧チョッパ回路によりパルス出力を発生するパルス部と、
前記パルス部の直流リアクトルに並列接続されたキャパシタを含み、当該キャパシタのキャパシタ電圧により直流リアクトルの両端電圧をクランプ電圧に制限する電圧クランプ部と、
前記パルス部のスイッチング素子のスイッチング動作を制御する制御回路部を備えた直流パルス電源装置の制御方法であり、
前記制御回路部は、
前記スイッチング素子を一定周期のパルス出力を生成するパルスモードのパルス動作を制御するパルスモード制御において、前記スイッチング素子を閉じて直流リアクトルを通電状態とするパルス幅を可変とするデューティー制御を行い、
前記デューティー制御は、
パルス動作の初期段階において、
前記パルス幅をパルス動作開始時の初期値から漸増させ、
初期段階の後のパルス動作の定常段階において、
前記パルス幅を所定の固定幅に保持することを特徴とする直流パルス電源装置のデューティー制御方法。
【請求項６】
前記制御回路部は、
前記キャパシタのキャパシタ電圧の規定電圧への充電に基づいて、前記初期段階から定常段階へ切り替えることを特徴とする、請求項５に記載の直流パルス電源装置のデューティー制御方法。
【請求項７】
前記制御回路部は、
前記キャパシタのキャパシタ電圧の電圧変化が所定の変動幅内に収まることに基づいて、前記初期段階から定常段階へ切り替えることを特徴とする、請求項５に記載の直流パルス電源装置のデューティー制御方法。
【請求項８】
前記規定電圧は前記直流リアクトルの磁気飽和をリセットするリセット電圧であることを特徴とする請求項６に記載の直流パルス電源装置のデューティー制御方法。
【発明の詳細な説明】
【技術分野】
【０００１】
本発明は、磁気飽和を抑制する制御回路を備える直流パルス電源装置、及び直流パルス電源装置が備える直流リアクトルの磁気飽和を抑制する制御方法に関する。
【背景技術】
【０００２】
直流パルス電源装置は、パルス出力を発生するパルス発生回路として、直流リアクトルとスイッチング素子との直列回路を備えた回路構成が知られている。パルス発生回路は、スイッチング素子のオン／オフ動作を繰り返すことにより直流電圧を断続させパルス波形のパルス出力を発生する。
【０００３】
直流パルス電源装置が出力するパルス出力は、直流電圧のオン状態とオフ状態とを数Hz〜数百kHzで繰り返す高周波出力である。
【０００４】
直流パルス電源装置は、プラズマ発生装置、パルスレーザ励起、放電加工機等の負荷へパルス出力を供給する電源装置として用いられる。例えば、直流パルス電源装置をプラズマ発生装置に用いる場合には、パルス出力をプラズマ発生チャンバ内の電極間に供給し、電極間の放電によるプラズマを着火させ、発生したプラズマを維持する。
【０００５】
図１１は直流パルス電源装置の一構成例であり、チョッパ回路を用いたパルス発生回路を備えた構成例を示している。直流パルス電源装置ではパルス波形を生成する回路として昇圧チョッパ回路が知られている。直流パルス電源装置１００は直流電源部１１０とパルス部１２０と制御回路部１４０により構成される。パルス部１２０の昇圧チョッパ回路は、直流リアクトル１２１とスイッチング素子１２２の直列接続により構成され、スイッチング素子１２２は制御回路部１４０により制御される駆動回路１２３の駆動信号に基づいてオン／オフ動作し、直流電源部１１０の直流電圧を昇圧させたパルス出力を負荷１５０に供給する（特許文献１，２）。
【先行技術文献】
【特許文献】
【０００６】
【特許文献１】特開平８−２２２２５８号公報（図１、段落００１２）
【特許文献２】特開２００６−６０５３号公報（図１）
【発明の概要】
【発明が解決しようとする課題】
【０００７】
直流パルス電源装置をプラズマ発生装置に用いる場合には、直流パルス電源装置のパルス出力をプラズマ発生装置のチャンバ内の電極間に供給し、電極間で発生する放電によりプラズマを着火させ、発生したプラズマを維持する。直流パルス電源装置は、プラズマを負荷とする際、イグニッションモード、直流モード、及びパルスモードの各モードによりプラズマ負荷へパルス出力を供給する。イグニッションモードによりプラズマを着火させ、直流モードで一定の放電電圧状態を経た後、パルスモードによりパルス動作を開始する。
【０００８】
図１２は直流パルス電源装置からプラズマ負荷へパルス出力を供給する各モードを説明するための概略フローチャートである。
【０００９】
通常、プラズマ発生装置は直流パルス電源装置にとって電気的な負荷に相当し、プラズマ放電が発生するまでのプラズマ放電開始時の負荷と、プラズマ放電が安定して発生している通常運転時の負荷とはインピーダンス状態が異なる。そのため、通常、直流電源装置は、プラズマ放電を発生させるために電圧を徐々に増加させ、通常運転時の電圧よりも大きな電圧を電極に一定期間印加する。この出力のモードはイグニッションモードと称される（Ｓ１０）。
【００１０】
イグニッションモードにより、プラズマ放電発生後は、一定の放電電圧状態となる。この出力のモードは直流モードと称される（Ｓ２０）。
【００１１】
直流モード後、直流電圧を所定デューティーでオン／オフさせ、パルス出力状態となる。この出力のモードはパルスモードと称される（Ｓ３０）。
【００１２】
図１３（ａ）に示すパルス部１２０Ａのチョッパ回路では、スイッチング素子１２２ＡのドレインＤとソースＳとの間のＤＳ電圧は、スイッチング素子１２２Ａがオフ時において直流リアクトル１２１Ａに含まれるリーケージインダクタンスによりサージ電圧が発生する。本出願の発明者は、サージ電圧によるスイッチング素子１２２Ａの損傷を回避するために、直流リアクトル１２１Ｂの両端電圧を所定電圧にクランプする電圧クランプ部１３０Ｂを設ける構成を提案している。図１３（ｂ）は提案する回路構成の概略を示している。電圧クランプ部１３０Ｂは、直流リアクトル１２１Ｂに並列接続したコンデンサＣを備える。電圧クランプ部１３０Ｂは、コンデンサＣの電圧ＶCをサージ電圧よりも低い電圧にクランプすることによりＤＳ電圧の過剰なサージ電圧上昇を抑制する。
【００１３】
通常、リアクトルはリアクトル電流の増加に伴って磁界が増加すると透磁率が低下していき、磁性材料が持つ最大磁束密度に達すると磁気飽和の状態となる。磁気飽和の状態では透磁率が低下する。リアクトルの低透磁率は過剰電流の要因となる。リアクトルの磁気飽和のリセットは、リアクトルに対して極性が異なる電圧を印加し、印加する電圧と時間の積である電圧時間積（ET積）が逆極性で大きさが等しくなることにより行われる。
【００１４】
図１３（ｃ）において、スイッチング素子１２２Ｂのオン期間の電圧時間積Ｓonとオフ期間の電圧時間積Ｓoffを逆極性で大きさを等しくすることにより、直流リアクトル１２１Ｂの磁気飽和はリセットされる。
【００１５】
図１４は、直流リアクトルの磁気飽和状態を説明するための図であり、図１４（ａ）は直流電源装置の出力電圧波形を示し、図１４（ｂ）は直流リアクトル電流ｉDCLの飽和電流波形を示し、図１４（ｃ）はコンデンサＣの電圧波形を示している。
【００１６】
電圧クランプ部を備えた回路構成では、直流リアクトルの磁気飽和リセットが不十分であるという問題が発生する。図１３（ｃ）は磁気飽和の発生状態を示している。スイッチング素子１２２Ｂがオフ期間Ｔoffの電圧Ｖoffはリセット電圧として作用するが、電圧Ｖoffはパルス発生起動時においては０Vから徐々に上昇するが、電圧クランプ部１３０ＢのコンデンサＣのキャパシタ電圧ＶCによりクランプされるため、初期段階では、リセット電圧は磁気飽和をリセットするのに十分な電圧まで上昇しない。そのため、パルス発生起動時の初期時のパルスモードでは、スイッチング素子１２２Ｂがオフ期間の電圧時間積Ｓoffはスイッチング素子１２２Ｂがオン期間Ｔonの電圧時間積Ｓonよりも小さく、直流リアクトルの偏磁はリセットされることなく磁気飽和に至る。
【００１７】
直流リアクトル１２１が磁気飽和するとインダクタンスが減少するため、過剰電流が流れる。図１５は直流リアクトルの電流例であり、磁気飽和により過剰電流が発生する状態を示している。したがって、パルス発生起動時の初期時のパルスモードにおいて、磁気飽和をリセットするリセット電圧が不十分なために、磁気飽和により過剰電流が発生するという課題がある。
【００１８】
本発明は前記した従来の問題点を解決し、直流パルス電源装置において、パルス発生起動時における直流リアクトルの磁気飽和を抑制し、磁気飽和による過剰電流の発生を抑制することを目的とする。
【００１９】
さらに、詳細には、パルス発生起動時において、直流リアクトルに並列接続されたキャパシタのキャパシタ電圧が磁気飽和のリセットに十分な電圧となるまでの間において、直流リアクトル電流を抑制し、磁気飽和を抑制することを目的とする。
【課題を解決するための手段】
【００２０】
本発明の直流パルス電源装置は、パルス部が備えるチョッパ回路の直流リアクトルのリーケージインダクタンスにより発生するサージ電圧の上昇を抑制するために、直流リアクトルに並列接続されたキャパシタを含む電圧クランプ部を備える。直流パルス電源装置では、チョッパ回路のスイッチング素子がオフ状態にあるときのリアクトル電圧が電圧クランプ部により抑制され、直流リアクトルの磁気飽和する要因となる。本発明の直流パルス電源装置の制御回路部は、スイッチング素子の動作のデューティーを制御することにより直流リアクトルの磁気飽和をリセットし磁気飽和の発生を抑制する。
【００２１】
本発明の直流パルス電源装置は、パルスモードの初期段階であるパルス動作の起動時において、キャパシタ電圧が直流リアクトルの磁気飽和をリセットするのに十分な電圧まで充電されるまでの間、チョッパ回路のパルス動作のデューティーを制御して、スイッチング素子をオン状態として直流リアクトルを通電状態とするパルス幅を可変とする。デューティー又はパルス幅を漸増することにより、スイッチング素子がオン状態の電圧時間積の増加を漸増させる。デューティー及びパルス幅を漸増させることにより、スイッチング素子のオフ動作によりクランプ電圧が抑制される状態にあっても、スイッチング素子がオン状態の電圧時間積と、スイッチング素子がオフ状態の電圧時間積との差分が増加することを抑制し、直流リアクトルの磁気飽和を抑制する。
【００２２】
ここで、漸増は初期値から所定値に向かって徐々に増加させることを意味する。デューティー又はパルス幅において、漸増により至る所定値は、スイッチング素子のオン状態により、キャパシタ電圧が直流リアクトルの磁気飽和をリセットするのに十分な電圧となるデューティー又はパルス幅である。初期値は、リアクトルを磁気飽和させない値であり、所定値よりも十分に小さな値に設定される。
【００２３】
パルス動作が起動した後、初期段階においてキャパシタ電圧が増加して定常段階となる。定常段階では、直流リアクトルに印加される電圧は、キャパシタ電圧のクランプ電圧に抑制されるが、このキャパシタ電圧は直流リアクトルの磁気飽和をリセットするのに十分な電圧に設定することにより、定常段階のデューティーに切り替えたパルスモードにおいて直流リアクトルの磁気飽和は抑制される。
【００２４】
本発明は、直流パルス電源装置、及び直流パルス電源装置のデューティー制御方法の各形態を備える。
【００２５】
［直流パルス電源装置］
本発明の直流パルス電源装置は、直流電源と、直流電源に接続され、直流リアクトルとスイッチング素子の直列回路を備えた昇圧チョッパ回路によりパルス出力を発生するパルス部と、パルス部の直流リアクトルに並列接続されたキャパシタを含み、キャパシタのキャパシタ電圧により直流リアクトルの両端電圧をクランプ電圧に制限する電圧クランプ部と、パルス部のスイッチング素子のスイッチング動作を制御する制御回路部を備える。
【００２６】
制御回路部は、一定周期でパルス出力を生成するパルスモードのパルス動作を制御するパルスモード制御部を備える。パルスモードによるパルス動作では、一定周期においてスイッチング素子を所定のデューティー比でオン／オフ動作を繰り返すことにより、直流電源から負荷に対してデューティー比に応じた電力がパルス出力により供給される。
【００２７】
本発明のパルスモード制御部は、パルス幅を可変とするデューティー制御部を備え、初期段階と定常段階の２つの段階によりデューティー制御を行う。デューティー制御部は、パルス動作の初期段階において、スイッチング素子を閉じてオン状態とするパルス幅を漸増させ、直流リアクトルにリアクトル電流が流れる期間を漸増させる。初期段階において、スイッチング素子がオフ状態の電圧時間積は、直流リアクトルの電圧がクランプされているため小さい。スイッチング素子がオン状態のパルス幅を定常状態の大きさのままでパルス動作を繰り返すと、電圧時間積の差分が増加し磁気飽和に至る。
【００２８】
本発明のデューティー制御は、初期段階において、スイッチング素子を閉じてオン状態とするパルス幅を初期値から定常段階のデューティーのパルス幅に向けて漸増させることにより、初期段階におけるスイッチング素子がオン状態の電圧時間積を抑え、スイッチング素子がオフ状態の電圧時間積との差分の増加を抑制し、初期段階での磁気飽和の発生を抑止する。
【００２９】
定常段階では、パルスモードの定常デューティーのパルス幅でスイッチング素子をオン／オフ動作して、負荷に対して定常電力を供給する。定常段階では、キャパシタ電圧は直流リアクトルの磁気飽和をリセットするのに十分な電圧であるため、キャパシタ電圧により電圧がクランプされた状態であっても、定常段階のデューティーに切り替えたパルスモードにおいて直流リアクトルが磁気飽和することはない。
【００３０】
本発明のデューティー制御は、直流リアクトルの磁気飽和を避けるために、初期段階において直流リアクトルの磁気飽和を抑制するデューティーとし、キャパシタ電圧が磁気飽和をリセットするのに十分な電圧に充電された後は、定常段階のデューティーとする。
【００３１】
本発明のデューティー制御は、パルス動作の周波数を一定周波数とし、デューティーを制御している。一定周波数のパルス動作において、パルス動作の一周期の時間幅は一定であるため、デューティーを可変とすることはパルス幅を可変とすることに相当する。したがって、本発明のデューティー制御においてデューティーを漸増させることにより、キャパシタ電圧が磁気飽和をリセットするのに十分な電圧に至る前の初期段階において、直流リアクトルが磁気飽和することを防ぐ。
【００３２】
パルス動作の初期段階では、キャパシタ電圧は直流リアクトルの磁気飽和をリセットするリセット電圧まで充電されていないため、キャパシタ電圧により直流リアクトルの磁気飽和をリセットすることは困難である。
【００３３】
本発明は、パルス動作を起動する初期段階において、キャパシタ電圧が直流リアクトルの磁気飽和をリセットするのに十分な電圧まで充電されるまでの間、チョッパ回路のパルス動作のデューティーを制御してスイッチング素子をオン状態とし、直流リアクトルを流れる直流リアクトル電流のパルス幅を漸増させる。直流リアクトルは、スイッチング素子がオン状態又はオフ状態の何れの状態においても通電状態であるが、オン状態の直流リアクトルに流れる直流リアクトル電流は、オフ状態における直流リアクトルよりも大きな電流が流れる。これにより、パルス幅に応じた期間の間、直流リアクトルに電流が増加され直流リアクトル電流を流すことにより、キャパシタの充電は促進される。本発明は、パルス幅を初期値から所定値に向かって漸増させることにより、初期段階において磁気飽和の発生を抑制しながら、キャパシタ電圧を増加させる。
【００３４】
本発明のデューティー制御部は、パルスモードにおいて、初期段階における開始デューティー値、及びデューティーが漸増する遷移デューティー値、及び定常段階における定常デューティー値の各のデューティー値を備え、各デューティー値により各周期のパルス動作を行う。
【００３５】
パルス動作の開始時には開始デューティー値に基づいたデューティー又はパルス幅によりパルス動作を開始する。パルス動作が開始した後、開始デューティー値から遷移デューティー値に切り替え、漸増する遷移デューティー値に基づくデューティー又はパルス幅によりパルス動作を実施する。キャパシタ電圧が磁気飽和をリセットするのに十分な電圧となった後、遷移デューティー値からパルスモードの定常デューティー値へ切り替える。キャパシタ電圧が磁気飽和をリセットするのに十分な電圧に達したか否かは、キャパシタのキャパシタ電圧の電圧値又は電圧変化に基づいて検出することができる。遷移デューティー値は周期毎にデューティーを増加させることで漸増させる。デューティーの増加幅は、開始デューティー値から定常デューティー値に至るまでの周期数等の駆動条件に応じて設定することができる。
【００３６】
パルスモード制御部はキャパシタ電圧が充電電圧に達したか否かを判定する電圧判定部を備える。デューティー制御部は、電圧判定部がキャパシタ電圧の電圧値又は電圧変化により判定した結果に基づいて、遷移デューティー値からパルスモードの定常デューティー値へ切り替える。キャパシタ電圧の電圧を設定電圧と比較し、キャパシタ電圧が設定電圧を越えたとき、又は、キャパシタ電圧の電圧変化ΔＶCを設定値と比較し、電圧変化ΔＶCが設定値以内であるときに、キャパシタの充電が完了し、キャパシタ電圧が直流リアクトルの磁気飽和をリセットするのに十分な電圧に至ったものと判定する。設定電圧は、例えば予め設定された充電完了電圧を用いることができる。
【００３７】
本発明の直流パルス電源装置は、直流リアクトルのリアクトル電圧の内、設定電圧を超える電圧分を直流電源に回生する回生部を備え、この回生部は直流リアクトルに並列接続されたキャパシタを備える構成とし、このキャパシタは、サージ電圧を抑制するクランプ電圧を直流リアクトルに印加する電圧クランプ部、リセット電圧を回生する回生部として機能する。
【００３８】
［直流パルス電源装置のデューティー制御方法］
本発明のデューティー制御方法は、直流電源と、直流電源に接続され、直流リアクトルとスイッチング素子の直列回路を備えた昇圧チョッパ回路によりパルス出力を発生するパルス部と、パルス部の直流リアクトルに並列接続されたキャパシタを含み、キャパシタのキャパシタ電圧により直流リアクトルの両端電圧をクランプ電圧に制限する電圧クランプ部と、パルス部のスイッチング素子のスイッチング動作を制御する制御回路部を備えた直流パルス電源装置の制御方法であり、キャパシタ電圧が直流リアクトルの磁気飽和をリセットする十分な電圧となるまでの間のスイッチング動作のデューティーを制御することにより、直流リアクトルの磁気飽和をリセットする。
【００３９】
制御回路部は、一定周期のパルス出力を生成するパルスモードのパルス動作を制御するパルスモード制御部において、スイッチング素子をオン／オフ動作させる時間周期を制御し、直流リアクトル電流が増加している区間のパルス幅を可変するデューティー制御を行う。
【００４０】
このデューティー制御において、
(a)  パルス動作の初期段階において、パルス幅をパルス動作開始時の初期値から定常段階の定常値に向けて漸増させる。
(b)  初期段階の後のパルス動作の定常段階において、パルス幅を所定固定幅の定常値に保持する。
【００４１】
パルス動作の初期段階において、パルス幅を初期値から定常値に向けて漸増させる過程でキャパシタ電圧は充電され、十分に充電された後はキャパシタ電圧の増加は停止し一定電圧となる。このときのキャパシタ電圧を、直流リアクトルの磁気飽和をリセットするのに十分な電圧に設定することにより、直流リアクトルの磁気飽和をリセットすることができる。
【００４２】
本発明は、このときのキャパシタ電圧を規定電圧とする。規定電圧は、パルスモードにおいてキャパシタの磁気飽和を定常的にリセットするのに十分なキャパシタ電圧であり、定常デューティーへの切り替え時点を定める電圧となる。キャパシタ電圧が規定電圧に達したか否かは、キャパシタ電圧の電圧値又は電圧変化に基づいて検出することができ、キャパシタ電圧の電圧値が規定電圧値となったこと、又はキャパシタ電圧の電圧変化が停止したことを検出することにより、キャパシタ電圧が規定電圧に達したと判定する。規定電圧値は、磁気飽和をリセットするのに十分な電圧まで充電されたときのキャパシタ電圧の電圧値を予め求めておくことで定めることができる。
【００４３】
キャパシタ電圧が規定電圧に充電された後にはデューティー制御による電力供給の制限を解消し、パルス幅を所定幅の定常値に保持して負荷に対して所定の電力を供給する。プラズマを負荷とする場合には、パルスモードの所定デューティーに基づいたパルス幅によりパルス出力を形成し、このパルス出力をプラズマ負荷に供給してプラズマ放電を維持する。
【発明の効果】
【００４４】
以上説明したように、本発明によれば、直流パルス電源装置において、パルス動作による直流リアクトルの磁気飽和を抑制し、磁気飽和による過剰電流の発生を抑制することができる。
【００４５】
また、直流パルス電源装置のパルス動作中に、直流リアクトルに並列接続されたキャパシタのキャパシタ電圧が磁気飽和をリセットするのに十分な電圧となるまでの間の初期段階において、デューティーを制御することにより負荷に供給する電力を制限して磁気飽和を抑制し、キャパシタ電圧が磁気飽和のリセットに十分な電圧に達した定常段階において、デューティー制御による電力供給を停止し、パルスモードの定常デューティー値により電力供給を行う。
【図面の簡単な説明】
【００４６】
【図１】本発明の直流パルス電源装置のデューティー制御を説明するフローチャートである。
【図２】本発明の直流パルス電源装置のデューティー制御による電圧、電流状態を説明するため波形図である。
【図３】本発明のデューティー制御時の直流リアクトル電流の電流波形図である。
【図４】本発明の磁気飽和リセット部の概略構成を説明するための図である。
【図５】本発明の直流パルス電源の第１の構成例を説明するための図である。
【図６】本発明の直流パルス電源装置の回生部が備えるインバータ回路の回路構成例を説明するための図である。
【図７】本発明の直流パルス電源の第２の構成例を説明するための図である。
【図８】本発明の直流パルス電源の第３の構成例を説明するための図である。
【図９】本発明の直流パルス電源の第４の構成例を説明するための図である。
【図１０】本発明の直流パルス電源の第５の構成例を説明するための図である。
【図１１】従来の直流パルス電源装置の一構成例を説明するための図である。
【図１２】直流パルス電源装置からプラズマ負荷へパルス出力を供給する各モードを説明するための概略フローチャートである。
【図１３】直流リアクトルの磁気飽和を説明するための図である。
【図１４】直流リアクトルの磁気飽和状態を説明するための図である。
【図１５】直流リアクトルの電流例を説明するための図である。
【発明を実施するための形態】
【００４７】
本発明の直流パルス電源装置が備えるパルス部は直流電圧からパルス出力を生成するチョッパ回路を備え、チョッパ回路の直流リアクトルのリーケージインダクタンスにより発生するサージ電圧の上昇を抑制するために、チョッパ回路の直流リアクトルに並列接続されたキャパシタを含む電圧クランプ部を備える。電圧クランプ部は、直流リアクトルの両端電圧をキャパシタ電圧にクランプすることにより、サージ電圧の上昇を抑制する。
【００４８】
一方、直流パルス電源装置では、チョッパ回路のスイッチング素子がオフ状態にあるときのリアクトル電圧が電圧クランプ部により抑制されるため、磁気飽和をリセットする電圧時間積が不十分となり、直流リアクトルが磁気飽和する要因となる。
【００４９】
本発明の直流パルス電源装置の制御回路部は、スイッチング素子の動作のデューティーを制御することにより、スイッチング素子がオフ状態での電圧時間積を磁気飽和のリセットに十分な量とし、リセット電圧がクランプされることによる磁気飽和の発生を抑制する。
【００５０】
本発明の直流パルス電源装置は、パルスモードの初期段階であるパルス動作の起動時において、キャパシタ電圧が直流リアクトルの磁気飽和をリセットするのに十分な電圧まで充電されるまでの間、チョッパ回路のパルス動作のデューティー又はパルス幅を制御して、スイッチング素子をオン状態として、オフ状態よりも大きな電流の直流リアクトル電流が流れるパルス幅を可変とする。デューティー又はパルス幅を漸増させることにより、スイッチング素子がオン状態の電圧時間積の増加を漸次漸増させる。
【００５１】
デューティー及びパルス幅を漸増させることにより、スイッチング素子のオフ動作によりクランプ電圧が抑制される状態にあっても、オフ状態の時間幅を相対的に長くすることにより、スイッチング素子がオン状態の電圧時間積に対して、スイッチング素子がオフ状態の電圧時間積が少ないことにより生じる直流リアクトルの磁気飽和を抑制する。
【００５２】
ここで、漸増は初期値から所定値に向かって漸次増加させることを意味する。漸増により至る定常値は、スイッチング素子のオン状態により、キャパシタ電圧が直流リアクトルの磁気飽和をリセットするのに十分な電圧となるデューティー又はパルス幅である。初期値は定常値よりも十分に小さな値である。
【００５３】
パルスモードにおいて、パルス動作は、起動時の初期段階と起動後の定常段階を備え、初期段階においてキャパシタ電圧が増加し、キャパシタ電圧がリセットするのに十分な電圧に達した後に定常段階に移行する。定常段階では、キャパシタ電圧によるクランプ電圧が直流リアクトルの磁気飽和をリセットするのに十分な電圧となる。この定常段階では、直流リアクトルに印加される電圧は、キャパシタ電圧のクランプ電圧に抑制されるが、このキャパシタ電圧は直流リアクトルの磁気飽和をリセットするのに十分な電圧であるため、定常段階において定常デューティーに切り替えたパルスモードにおいて直流リアクトルが磁気飽和することはない。
【００５４】
本発明の直流パルス電源装置のデューティー制御について図１〜３を用いて説明し、本発明の直流パルス電源の概略構成について図４を用いて説明する。本発明の直流パルス電源の構成例について図５〜図１０を用いて説明する。
【００５５】
［デューティー制御］
図１は本発明の直流パルス電源装置のデューティー制御を説明するフローチャートであり、パルスモードにおけるデューティー制御を示している。図２はデューティー制御による出力電圧（図２（ａ））、直流リアクトル電流（図２（ｂ））、キャパシタ電圧（図２（ｃ））の各波形を示している。また、図２（ｄ）はパルスモードの初期段階において磁気飽和が抑制される状態を示している。
【００５６】
直流パルス電源装置は、プラズマを負荷とする場合は、イグニッションモード、直流モード、及びパルスモードの各モードのパルス動作によりプラズマ負荷に対して電力供給を行う。パルス動作は、はじめにイグニッションモードによりプラズマを着火させ、直流モードで一定の放電電圧状態を経た後、パルスモードにより生成したパルス出力を負荷に送る。パルスモードでは、直流電圧を所定のデューティーでオン／オフ動作させることにより生成したパルス出力をプラズマ負荷に供給し、プラズマ放電を維持する。
【００５７】
図２では、イグニッションモードをＩＧモードで表記し、直流モードをＤＣモードで表記している。図２（ａ）に示す出力電圧波形において、イグニッションモードでは出力電圧は接地レベル（ＧＮＤレベル）から直線状に増加する。プラズマが着火した後、イグニッションモードから直流モードに切り替え、直流モードで一定電圧の直流電圧を印加した後、パルスモードに切り替えパルス出力を生成する。
【００５８】
本発明のデューティー制御は、パルスモードにおいて、開始デューティー値（DutyA）、遷移デューティー値（DutyB）、及びパルスモードの定常デューティー値（DutyPU）の各デューティー値にデューティーを切り替えながらパルス出力を生成する。
【００５９】
本発明のデューティー制御は、パルスモードを初期段階と定常段階の２段階で制御する。初期段階は、クランプ電圧を形成するキャパシタ電圧ＶCが０Ｖから充電を開始し、定常デューティーにおいて磁気飽和をリセットするのに十分な電圧に上昇するまでの期間である。この初期段階では、キャパシタ電圧ＶCは直流リアクトルの磁気飽和をリセットするのには充電が不十分な状態にある。そのため、デューティーを定常状態の定常デューティーで駆動すると直流リアクトルは磁気飽和となり、過剰電流が発生するおそれがある。この磁気飽和の発生を抑制するため、初期段階ではデューティーを漸増させ、開始デューティー値（DutyA）から定常デューティー値（DutyB）に向けて徐々に増加させる。
【００６０】
定常段階は、定常状態のパルス出力を生成する期間であり、定常デューティー値（DutyPU）のデューティーにより直流電圧からパルス出力を生成する。この定常段階では、キャパシタ電圧ＶCが磁気飽和をリセットするのに十分な電圧に充電されているため、定常デューティー値（DutyPU）によりスイッチング素子をオン／オフ動作させる状態であっても直流リアクトルの磁気飽和はリセットされる。以下、パルスモードの初期段階と定常段階について説明する。
【００６１】
［パルスモードの初期段階］
パルスモードの初期段階は開始時から遷移期間に進み、その後定常段階に移行する。
（パルスモードの開始時）
パルスモードの開始時では、直流リアクトル電流ｉDCLは零であり（図２（ｂ））、キャパシタ電圧ＶCは接地電圧レベル（GND）にある（図２（ｃ））。キャパシタ電圧ＶCは直流リアクトルの磁気飽和をリセットする電圧として用いられるが、パルスモードの開始時では接地電圧レベル（GND）にあるため、直流リアクトルの磁気飽和をリセットするのには不十分である。
【００６２】
パルスモードの開始時からパルスモードの定常段階の定常デューティー値（DutyPU）でパルス動作が行われると、定常デューティー値（DutyPU）に応じたオン／オフ動作が複数回繰り返され、パルス幅に応じた状態の直流リアクトル電流が直流リアクトルに流れる。定常デューティー値（DutyPU）は、プラズマ状態を維持するために必要な電力を供給するのに十分な電力が得られるように設定されるため、磁気飽和のリセット電圧が不十分な状態でパルス出力が繰り返して出力されると、その間に直流リアクトルは磁気飽和に至る。
【００６３】
本発明のデューティー制御では、開始時の一周期目において、定常デューティー値（DutyPU）のパルス幅よりも短いパルス幅を有する開始デューティー値（DutyA）によりパルス動作を開始する（Ｓ１）。開始時の一周期目のパルス動作において、スイッチング素子がオン状態となるパルス幅の間、直流リアクトル電流ｉDCL及びキャパシタ電圧ＶCは増加する（図２（ｂ），（ｃ））。キャパシタ電圧ＶCは０Ｖから増加していくため、磁気飽和をリセットするのには不十分である。
【００６４】
（デューティーの遷移期間）
パルスモードの開始時では、キャパシタ電圧ＶCは磁気飽和をリセットするのには不十分であるため、引き続く遷移期間においてキャパシタ電圧ＶCを増加させる。
パルスモードの開始時の一周期のパルス動作を行った後（Ｓ２）、キャパシタ電圧ＶCが磁気飽和リセットに十分な電圧に達したか否かを判定する。この判定は、キャパシタ電圧ＶCの電圧値、又は、キャパシタ電圧ＶCの電圧変化ΔＶCを検出することにより行うことができる。キャパシタ電圧ＶCの充電が完了し磁気飽和リセットに十分な電圧に達した段階では、キャパシタ電圧ＶCは一定電圧の充電完了電圧となり、電圧変化ΔＶCは変化しなくなる。なお、キャパシタ電圧ＶCの充電完了電圧は、磁気飽和をリセットするのに十分な電圧に対応して設定した設定電圧とする。
【００６５】
キャパシタ電圧ＶCと設定電圧との比較により、キャパシタ電圧ＶCが設定電圧に達したことが検出されたとき、又は、キャパシタ電圧ＶCの電圧変化ΔＶCと設定値との比較により、電圧変化ΔＶCが減少して設定値以内となったことが検出されたとき、キャパシタの充電が完了し、キャパシタ電圧が直流リアクトルの磁気飽和をリセットするのに十分な電圧に至ったものと判定する。なお、設定電圧及び設定値は電圧クランプ部に設けられたキャパシタの充電完了電圧、及びキャパシタの充電完了時の電圧変動幅を用いることができる。
【００６６】
キャパシタが充電完了状態に至らず、キャパシタ電圧ＶCが設定電圧に達していない場合、あるいは電圧変化ΔＶCが設定値を越えている場合には、開始時に続く遷移期間において、開始デューティー値（DutyA）に代えて遷移デューティー値（DutyB）によりデューティーを増加させる。遷移期間の遷移デューティー値（DutyB）は、例えば、前周期のデューティーにΔDutyを加算することにより定めることができる。遷移期間の最初の周期の遷移デューティー値（DutyB）は開始デューティー値（DutyA）にΔDutyを加算することにより定め、遷移期間の次の周期からは、前回の遷移デューティー値（DutyB）にΔDutyを加算することにより定めることができる。加算分のΔDutyはデューティーの遷移幅であり、例えば、初期段階のパルス幅変化区間の周期数N、開始デューティー値（DutyA）、定常デューティー値（DutyPU）に基づいて（DutyPU−DutyA）／Nにより定めることができる。なお、この加算分ΔDutyの増加量は一例であり、周期数N、開始デューティー値（DutyA）、及び定常デューティー値（DutyPU）の条件の範囲内で任意に設定することができる。
【００６７】
デューティーの遷移期間では、キャパシタ電圧ＶCは各周期のパルス動作により充電完了電圧に向かって増加する。一方、直流リアクトル電流ｉDCLはスイッチング素子がオン状態となる区間での増加と、オフ状態となる区間での減少を繰り返して徐々に増加するが、キャパシタ電圧ＶCの増加によりオフ状態での電圧時間積が増加するため磁気飽和がリセットされていくため、直流リアクトル電流ｉDCLの上限は磁気飽和レベル以下に制限される。
【００６８】
デューティーの遷移期間の最後の周期において、キャパシタ電圧ＶCは直流リアクトルの磁気飽和をリセットするのに十分な電圧に充電される。Ｓ３の工程において、キャパシタ電圧ＶCの充電完了状態が検出されると、デューティーを遷移デューティー値（DutyB）から定常デューティー値（DutyPU）に切り替えて、定常デューティー値（DutyPU）によるパルス動作によりパルス出力を生成する（Ｓ５）。
【００６９】
図２（ｄ）はパルスモードの初期段階の電圧時間積の状態を示している。パルスモードの初期段階では、スイッチング素子がオン状態である期間（Ｔon）では、スイッチング素子のオン抵抗電圧に相当する電圧が印加され、スイッチング素子がオフ状態である期間（Ｔoff）では直流リアクトルの両端電圧にはクランプ電圧が印加される。クランプ電圧はキャパシタの充電電圧であるキャパシタ電圧であり、初期段階では０Ｖから徐々に増加する。初期段階の当初の間は、スイッチング素子がオフ期間（Ｔoff）の電圧時間積Ｓoffはスイッチング素子がオン期間（Ｔon）の電圧時間積Ｓonよりも小さく、直流リアクトルは偏磁する状態にあるが、クランプ電圧が徐々に増加するに従って電圧時間積Ｓoffと電圧時間積Ｓonの差分は減少し、磁気飽和はリセットされる状態となる。
【００７０】
［パルスモードの定常段階］
パルスモードの定常段階では、定常デューティー値（DutyPU）のデューティーによりパルス動作を行う。この定常段階では、キャパシタ電圧ＶCは直流リアクトルの磁気飽和をリセットするのに十分な電圧に充電されているため、直流リアクトルは磁気飽和することなくリセットされ、直流リアクトル電流ｉDCLは各周期内で増減して変動するものの磁気飽和レベルを越えることはない。
【００７１】
図３は、本発明のデューティー制御により直流リアクトル電流の電流波形を示している。図示する電流波形は、イグニションモード、直流モード、及びパルスモードの初期段階、及び定常段階の何れのモードにおいても、直流リアクトル電流は過剰電流とならないことを示している。
【００７２】
［直流パルス電源装置の概略構成］
図４は本発明の直流パルス電源装置の構成例を示している。直流パルス電源装置は直流電源部１０、パルス部２０、制御回路部４０、及び電圧検出部６０を備え、パルス部２０は直流電源部１０の直流電圧から生成したパルス出力を負荷５０に供給する。
【００７３】
パルス部２０は、昇圧チョッパ回路により構成することができる。図４において、パルス部２０は直流リアクトル２１とスイッチング素子２２の直列接続により構成された昇圧チョッパ回路を備える。直流リアクトル２１は直流電源部１０側と負荷５０側との間に直列接続され、スイッチング素子２２は負荷５０側に対して並列接続される。駆動回路２３はスイッチング素子２２をオン／オフ動作させ、直流電圧を変換してパルス波形のパルス出力を生成する。また、直流リアクトル２１には電圧クランプ部３０clampのキャパシタＣが並列接続される。
【００７４】
図示する構成例では、パルス部２０の直流電源側は、高電圧側の接地された端子Ｂと低電圧側として負電圧の端子Ａを備える。図では、スイッチング素子２２がＦＥＴの例を示し、ソースＳ側を低電圧側の端子ＡにドレインＤ側を接地電圧の高電圧側の端子Ｂに接続し、ゲートＧ側には駆動回路２３からの駆動信号が入力される。
【００７５】
制御回路部４０は、目標のパルス出力に対応したスイッチング素子２２のオン時間とオフ時間の時間幅ないしデューティー比を定める制御信号を生成し、駆動回路２３を介して昇圧チョッパ回路を制御する。駆動回路２３は、制御回路部４０の制御信号に基づいてスイッチング素子２２のゲートＧに駆動信号を出力し、スイッチング素子２２をオン／オフ動作させる。
【００７６】
スイッチング素子２２のソースＳ側は直流リアクトル２１の負荷側に接続され、スイッチング素子２２のドレインＤ側は接地される。スイッチング素子２２がオン状態のときは、直流リアクトル２１の負荷側は接地され、端子Ｂからオン状態にあるスイッチング素子２２、及び直流リアクトル２１を介して端子Ａに直流リアクトル電流ｉDCLが流れる。この際、直流リアクトル２１には電磁エネルギーが蓄積される。次に、スイッチング素子２２がオン状態からオフ状態に切り替わると、直流リアクトル２１に蓄積された蓄積エネルギーにより直流リアクトル２１にはリアクトル電圧ＶDCLが発生する。昇圧チョッパ回路は、スイッチング素子２２のオン動作とオフ動作を繰り返すことによりオン／オフ時間のデューティーに応じて出力電圧Ｖoを上昇させる。
【００７７】
制御回路部４０は、イグニッションモードによりプラズマを着火させるイグニッションモード制御部４２、プラズマが着火した後、直流モードにより一定の放電電圧状態にさせる直流モード制御部４３、パルスモードのデューティー制御によりパルス出力を形成するパルスモード制御部４４、及び各モードを切り替えるモード切替部４１を備える。
【００７８】
パルスモード制御部４４は、デューティー値を切り替えることによりスイッチング素子２２を閉じてオン状態にするパルス幅を変更する。初期段階においては、はじめに開始デューティー値を用いて一周期分のパルス動作を行い、引き続いて遷移デューティー値により複数の周期間でデューティーを漸増させる。初期段階でデューティーを増加させた後、以後のパルスモードの各周期では定常デューティーによりパルス動作を行ってパルス出力を形成する。
【００７９】
パルスモード制御部４４は、パルス幅を可変とするデューティー制御部４４ｃを備え、パルス動作の初期段階において、スイッチング素子を閉じるパルス幅を漸増させ、スイッチング素子をオン状態として、直流リアクトルに大きな直流リアクトル電流が流れる時間を長くする。パルス幅を漸増させることにより、スイッチング素子がオン状態の電圧時間積と、スイッチング素子がオフ状態の電圧時間積との差分が増加することを抑制し、初期段階での磁気飽和の発生を抑止する。パルス動作の定常段階では、パルスモードの定常デューティーのパルス幅でスイッチング素子を閉じ、負荷に対して定常電力を供給する。定常段階では、キャパシタ電圧は直流リアクトルの磁気飽和をリセットするのに十分な電圧であるため、キャパシタ電圧により電圧がクランプされた状態であっても、定常段階のデューティーに切り替えたパルスモードにおいて直流リアクトルが磁気飽和することはない。
【００８０】
デューティー制御部４４ｃは、開始デューティー部４４c1、遷移デューティー部４４c2、及び定常デューティー部４４c3を備える。開始デューティー部４４c1は開始デューティー値（DutyA）を備え、遷移デューティー部４４c2は遷移デューティー値（DutyB）、定常デューティー部４４c3は定常デューティー値（DutyPU）を備える。また、パルスモード制御部４４は、デューティー制御部４４ｃの他に、一周期分を検出する周期検出部４４a、及びキャパシタ電圧ＶC又はキャパシタ電圧の電圧変化ΔＶCを用いて、キャパシタの充電状態を判定する電圧判定部４４bを備える。キャパシタ電圧ＶCは電圧検出部６０により検出される。
【００８１】
モード切替部４１は、外部からの開始信号を受けて、イグニッションモード制御部４２にイグニッションを開始する信号を送る。イグニッションモード制御部４２は開始信号を受けてイグニッション動作を行う。
【００８２】
モード切替部４１は、出力電圧Ｖoをモニターし、出力電圧Ｖoに基づいてイグニッションモードから直流モードに切り替える切替信号を直流モード制御部４３に送る。直流モード制御部４３は一定電圧の直流電圧の印加により放電電圧状態にさせる。
【００８３】
モード切替部４１は、直流モードの後、パルスモードに切り替える切替信号をパルスモード制御部４４に送る。
【００８４】
パルスモード制御部４４において、デューティー制御部４４cは、開始デューティー部４４c1の開始デューティー値（DutyA）を用いてパルスモードの制御を開始する。駆動回路２３は開始デューティー値（DutyA）のパルス幅で一周期のオン／オフ動作を行う。
【００８５】
周期検出部４４aはパルスモードの切替信号を受けた後、パルス動作の各周期を検出する。周期検出部４４aはパルス動作の周期を検出する毎に電圧判定部４４bにキャパシタの充電状態の判定を指示する。電圧判定部４４bはパルス動作の周期毎に、電圧検出部６０で検出したキャパシタ電圧ＶCが設定電圧に達したか否かの判定、又はキャパシタ電圧ＶCと前周期のキャパシタ電圧ＶCとの差である電圧変化ΔＶCが設定値よりも大きな電圧変化であるか否かの判定を行う。
【００８６】
キャパシタ電圧ＶCが設定電圧に達していない場合、あるいは電圧変化ΔＶCが設定値を越える場合には、デューティー制御部４４cは、遷移デューティー部４４c2の遷移デューティー値（DutyB）を用いて駆動回路２３を制御する。遷移デューティー部４４c2は、周期毎に、遷移デューティー値（DutyB）を漸増させて更新する。
【００８７】
遷移デューティー部４４c2は、前回の遷移デューティー値（DutyB）にΔDutyを加算することにより遷移デューティー値（DutyB）を更新する。最初の遷移デューティー値（DutyB）は、前回の遷移デューティー値として開始デューティー値（DutyA）を用いる。
キャパシタ電圧ＶCが設定電圧に達した場合、あるいは電圧変化ΔＶCが設定値を越えない場合には、遷移デューティー値（DutyB）からパルスモードの定常デューティー値（DutyPU）に切り替え、定常デューティー部４４c3の定常デューティー値（DutyPU）を用いて駆動回路２３を制御する。
【００８８】
［直流パルス電源装置の構成例］
以下、直流パルス電源装置の構成例について説明する。構成例の直流パルス電源装置のパルス部は、直流リアクトルのリアクトル電圧を回生する回生部を備える。回生部は直流リアクトルのリアクトル電圧を回生する構成として、直流リアクトルの並列接続したキャパシタを備える。
【００８９】
第１の構成例は昇圧チョッパ回路の直流リアクトルの両端のリアクトル電圧を回生する構成であり、第２〜第５の構成例は昇圧チョッパ回路の磁気結合する二つの直流リアクトルの一方の直流リアクトルのリアクトル電圧を回生する構成であり、第２，５の構成例は磁気結合する二つの直流リアクトルをタップ付き単巻きトランスとする構成であり、第３，４の構成例は磁気結合する二つの直流リアクトルを複巻きトランスとする構成である。また、回生するリアクトル電圧について、第１〜第５の構成例は直流電源の低電圧側の電圧を基準電圧としている。
【００９０】
［直流パルス電源装置の第１の構成例］
本発明の直流パルス電源装置の第１の構成例について図５を用いて説明する。
【００９１】
本発明の直流パルス電源装置は、直流電源部（ＤＣ部）１０と、直流電源部１０に接続された昇圧チョッパ回路により発生したパルス出力を負荷５に供給するパルス部２０Ａと、パルス部２０Ａで発生する過剰な電圧上昇分を直流電源部１０側に回生する回生部３０と、直流電源部１０、パルス部２０Ａ、駆動回路２３と回生部３０を制御する制御回路部４０、及びキャパシタ電圧を検出する電圧検出部６０を備え、出力ケーブル３を介して負荷５にパルス出力を供給する。図５では、負荷５としてプラズマ発生装置の例を示しているが、負荷５はプラズマ発生装置に限らず、パルスレーザ励起、放電加工機等に適用してもよい。
【００９２】
（直流電源部）
直流電源部（ＤＣ部）１０は、交流電源２の交流電圧を直流電圧に整流する整流器１１と、整流時に発生する過渡的に発生するスパイクの高電圧を吸収して抑制するスナバ回路１２と、直流電圧を交流電圧に変換する単相インバータ回路１３と、単相インバータ回路１３の交流電圧を所定の電圧値に電圧変換する単相変圧器１４と、単相変圧器１４で電圧変換された交流電圧を直流電圧に整流する整流器１５と、両端電圧を直流電源部の直流電圧とするキャパシタ１６（ＣF）を備える。キャパシタ１６の一端は接地され、他端に負電圧の低電圧が形成される。なお、図５に示す構成では、負荷５としてプラズマ発生装置の容量負荷の例を示している。ここでは、プラズマ発生装置の一端を接地して負電圧を供給しているため、直流電源部１０は負電圧のパルス出力を発生する構成を示している。
【００９３】
単相インバータ回路１３は、制御回路部４０からの制御信号によりスイッチング動作を行って、直流電圧を所定の周波数の交流電圧に変換する。直流電源部１０を構成する、整流器１１，１５、スナバ回路１２、単相インバータ回路１３、単相変圧器１４の各回路要素は通常に知られる任意の回路構成とすることができる。
【００９４】
（パルス部）
パルス部２０Ａは昇圧チョッパ回路により直流電圧からパルス波形を生成する。昇圧チョッパ回路は、直流電源側と負荷側との間に直列接続された直流リアクトル２１ａと、負荷側に対して並列接続されたスイッチング素子（Ｑ1）２２と、スイッチング素子２２のオン／オフ動作を駆動する駆動回路２３を備える。パルス部２０Ａの直流電源側は、接地された端子Ｂと低電圧側として負電圧の端子Ａを備える。図示するスイッチング素子２２はＦＥＴの例を示し、ソースＳ側を低電圧側にドレインＤ側を接地電圧側に接続し、ゲートＧ側には駆動回路２３からの駆動信号が入力される。
【００９５】
制御回路部４０は、昇圧チョッパ回路を動作させるために、目標のパルス出力に対応してスイッチング素子２２のオン時間とオフ時間の時間幅ないしデューティー比を定める信号を生成すると共に、直流電源部１０の出力端の電圧、及び電流に基づいて制御信号を生成する。
【００９６】
駆動回路２３は、制御回路部４０の制御信号に基づいてスイッチング素子２２のゲートＧに駆動信号を出力し、スイッチング素子２２のオン／オフ動作を行わせる。
【００９７】
スイッチング素子２２のソースＳ側は直流リアクトル２１ａの負荷側に接続され、スイッチング素子２２のドレインＤ側は接地される。スイッチング素子２２がオン状態のときは、直流リアクトル２１ａの負荷側は接地され、端子Ｂからオン状態にあるスイッチング素子２２、及び直流リアクトル２１ａを介して端子Ａに電流が流れ、直流リアクトル２１ａには直流リアクトル電流が流れる。この際、直流リアクトル２１ａには直流リアクトル電流により電磁エネルギーが蓄積される。次に、スイッチング素子２２がオン状態からオフ状態に切り替わると、直流リアクトル２１ａに蓄積された蓄積エネルギーにより直流リアクトル２１ａにはリアクトル電圧ＶDCLが発生する。昇圧チョッパ回路は、スイッチング素子２２のオン動作とオフ動作を繰り返すことによりオン／オフ時間のデューティー比に応じて出力電圧Ｖoを上昇させる。
【００９８】
（回生部）
回生部３０は昇圧チョッパ回路の直流リアクトルのリアクトル電圧の内、設定電圧を超える電圧分を直流電源に回生する。回生部３０は、ダイオード３１、キャパシタ３２（Ｃ1）、インバータ回路３３，変圧器３４，整流器３５を備える。回生部３０は、回生機能と共に電圧クランプ部３０clampの機能を構成している。
【００９９】
キャパシタ３２（Ｃ1）の一端は直流リアクトル２１ａの負荷側端部に接続され、他端はダイオード３１を介して直流リアクトル２１ａの直流電源側端部に接続され、直流リアクトル２１ａに発生するリアクトル電圧が印加される。キャパシタ３２（Ｃ1）のキャパシタ電圧ＶC1は、直流電源の直流電圧ＶAB及び変圧器の変圧比に基づいて定まり、変圧器３４の変圧比が（ｎ2：ｎ1）である場合にはＶC1＝（ｎ2／ｎ1）×ＶABの設定電圧となる。ダイオード３１はパルス部２０Ａから回生部３０のキャパシタ３２（Ｃ1）に向かう方向を順方向として接続され、直流リアクトル２１ａのリアクトル電圧ＶDCLがキャパシタ３２（Ｃ1）のキャパシタ電圧ＶC1を越えた場合に、リアクトル電圧ＶDCLがキャパシタ３２（Ｃ1）のキャパシタ電圧ＶC1を越えた電圧分について回生部３０による回生が行われる。したがって、回生部３０はキャパシタ３２（Ｃ1）のキャパシタ電圧ＶC1をしきい値として回生動作を行う。
【０１００】
キャパシタ電圧ＶC1を定める方法としては、変圧器３４の変圧比を変更する他に、インバータ回路３３の出力を制御する方式がある。たとえば、ＰＷＭ制御や位相シフト制御などがあるが、インバータ回路の出力を制御する方式であれば、この限りではない。
【０１０１】
また、図５に示す回路構成では、回生部３０は、一端がパルス部２０Ａの低電圧側入力端に接続された構成であり、低電圧側の電圧（負電圧）を基準として直流リアクトル２１ａのリアクトル電圧ＶDCLを回生入力電圧Ｖinとして回生を行う。
【０１０２】
インバータ回路３３はキャパシタ３２側の直流電圧と変圧器３４側の交流電圧との間で直交変換を行い、キャパシタ３２（Ｃ1）のキャパシタ電圧ＶC1を直流電源の直流電圧ＶABに基づいて一定電圧に保持すると共に、リアクトル電圧ＶDCLがキャパシタ３２（Ｃ1）のキャパシタ電圧ＶC1を越えた場合にはその越えた電圧分を交流に変換して直流電源側に回生する。キャパシタ電圧ＶC1は一定電圧に保持されることから、直流リアクトル２１ａのリアクトル電圧ＶDCLはキャパシタ電圧ＶC1にクランプされる。したがって、回生部３０は電圧クランプ部３０clampの機能を構成している。インバータ回路３３は、例えば、スイッチング素子のブリッジ回路で構成することができる。スイッチング素子の開閉動作は制御回路部４０からの制御信号αにより制御される。
【０１０３】
変圧器３４は、直流電源部１０の直流電圧ＶABとキャパシタ３２（Ｃ1）のキャパシタ電圧ＶC1との電圧比率を変圧比に基づいて変調する。変圧器３４の変圧比が（ｎ2：ｎ1）である場合には、直流電圧ＶABとキャパシタ電圧ＶC1との間の電圧関係は、ＶC1＝（ｎ2／ｎ1）×ＶABで表される。
【０１０４】
整流器３５は変圧器３４側の交流電圧を直流電源部１０側の直流電圧に整流する。整流器３５の直流側端子は直流電源部１０の端子Ａ、Ｂに接続され、キャパシタ電圧ＶC1が直流電圧ＶABに基づいた電圧を超える場合のみに、直流電源部１０に電力を回生する。
【０１０５】
電圧検出部６０は、直流リアクトル２１ａにキャパシタ電圧ＶC1によるクランプ電圧を検出し、検出信号βを制御回路４０に送る。制御回路４０中の電圧判定部４４bは、検出信号βによるキャパシタ電圧ＶCに基づいてキャパシタの充電状態を判定する。
【０１０６】
なお、回生部３０の構成は直流リアクトル２１ａの両端電圧を所定電圧のクランプする機能、及び所定電圧を越える電力分を直流電源側の回生する機能を備える構成であれば、上記した構成に限られるものではない。
【０１０７】
（回生部の構成例）
図６を用いて直流パルス電源装置の回生部が備えるインバータ回路の回路構成例を説明する。
【０１０８】
回生部３０は、キャパシタ３２（Ｃ1）のキャパシタ電圧ＶC1の直流電圧を直交変換して得られた交流電圧を変圧器３４に出力するインバータ回路３３を含んでいる。インバータ回路３３は、スイッチング素子ＱR1〜ＱR4からなるブリッジ回路３３ａと、制御信号αに基づいてスイッチング素子ＱR1〜ＱR4を駆動する駆動信号を生成する駆動回路３３ｂとを備える。なお、ここでは、ブリッジ回路３３ａとしてフルブリッジ回路の例を示しているが、ハーフブリッジ回路や多相インバータ回路を用いても良い。
【０１０９】
［直流パルス電源装置の第２の構成］
図７を用いて本発明の直流パルス電源装置の第２の構成例について説明する。第２の構成例は、パルス部２０の昇圧チョッパ回路の構成において第１の構成例と相違し、その他の構成は第１の構成例と同様である。以下、第１の構成例と相違する構成について説明し、その他の共通する構成の説明は省略する。
【０１１０】
第１の構成例の昇圧チョッパ回路が備える直流リアクトル２１ａは単一のコイルで構成される。これに対して、第２の構成例の直流リアクトル２１ｂは、第１の構成例の昇圧チョッパ回路の単一コイルに代えてタップ付き単巻きトランスで構成される。タップ付き単巻きトランスによる直流リアクトル２１ｂは、磁気結合された第１の直流リアクトル２１ｂ−１と第２の直流リアクトル２１ｂ−２とを直列接続して構成することができ、第１の直流リアクトル２１ｂ−１と第２の直流リアクトル２１ｂ−２の接続点をタップ点としている。第１の直流リアクトル２１ｂ−１の一端は直流電源の低電圧側の端子Ａに接続され、第２の直流リアクトル２１ｂ−２の一端は負荷側に接続され、第１の直流リアクトル２１ｂ−１と第２の直流リアクトル２１ｂ−２の接続点のタップ点はスイッチング素子２２のソースＳ端に接続される。
【０１１１】
スイッチング素子２２がオン状態のときは、直流リアクトル２１ｂの接続点のタップ点は接地され、端子Ｂからオン状態にあるスイッチング素子２２、及び直流リアクトル２１ｂの第１の直流リアクトル２１ｂ−１を介して端子Ａに直流リアクトル電流が流れる。この際、直流リアクトルにより第１の直流リアクトル２１ｂ−１に電磁エネルギーが蓄積される。
【０１１２】
次に、スイッチング素子２２がオン状態からオフ状態に切り替わると、直流リアクトル２１ｂの第１の直流リアクトル２１ｂ−１に蓄積された蓄積エネルギーにより第１の直流リアクトル２１ｂ−１にはリアクトル電圧ＶDCL1が発生し、第２の直流リアクトル２１ｂ−２にはリアクトル電圧ＶDCL2が発生する。昇圧チョッパ回路は、スイッチング素子２２のオン動作とオフ動作を繰り返すことにより、第１の構成例と同様に出力電圧Ｖoを上昇させる。
【０１１３】
第１の直流リアクトル２１ｂ−１のリアクトル電圧ＶDCL1と第２の直流リアクトル２１ｂ−２のリアクトル電圧ＶDCL2との電圧比は、第１の直流リアクトル２１ｂ−１と第２の直流リアクトル２１ｂ−２のインダクタンス比の比率に対応した値となる。直流リアクトル２１ｂの第１の直流リアクトル２１ｂ−１と第２の直流リアクトル２１ｂ−２のタップ付き単巻きコイルの巻き数比をｎ1p：ｎ2pとした場合には、第１の直流リアクトル２１ｂ−１のリアクトル電圧ＶDCL1と第２の直流リアクトル２１ｂ−２のリアクトル電圧ＶDCL2との電圧比（ＶDCL1／ＶDCL2）は巻き数比（ｎ1p／ｎ2p）となる。
【０１１４】
第２の構成例の回生部３０は、第１の構成例の直流リアクトル２１ａのリアクトル電圧ＶDCLに代えて直流リアクトル２１ｂの第１の直流リアクトル２１ｂ−１のリアクトル電圧ＶDCL1を適用することで同様に動作する。
【０１１５】
回生部３０において、キャパシタ３２（Ｃ1）の一端は直流リアクトル２１ｂの第１の直流リアクトル２１ｂ−１と第２の直流リアクトル２１ｂ−２の接続点に接続され、他端はダイオード３１を介して第１の直流リアクトル２１ｂ−１の直流電源側端部に接続され、第１の直流リアクトル２１ｂ−１に発生するリアクトル電圧ＶDCL1が印加される。キャパシタ３２（Ｃ1）のキャパシタ電圧ＶC1は、直流電源の直流電圧ＶAB及び変圧器３４の変圧比に基づいて定まり、変圧器３４の変圧比が（ｎ2：ｎ1）である場合にはＶC1＝（ｎ2／ｎ1）×ＶABの設定電圧となる。ダイオード３１はパルス部２０Ｂから回生部３０のキャパシタ３２（Ｃ1）に向かう方向を順方向として接続され、第１の直流リアクトル２１ｂ−１のリアクトル電圧ＶDCL1がキャパシタ３２（Ｃ1）のキャパシタ電圧ＶC1を越えた場合に、リアクトル電圧ＶDCL1がキャパシタ３２（Ｃ1）のキャパシタ電圧ＶC1を越えた電圧分について回生部３０による回生が行われる。したがって、回生部３０は第１の構成例と同様にキャパシタ３２（Ｃ1）のキャパシタ電圧ＶC1をしきい値として回生動作を行う。
【０１１６】
回生部３０は、第１の構成例と同様に電圧クランプ部を構成し、第１の直流リアクトル２１ｂ−１の両端電圧を電圧クランプする。また、電圧検出部６０は、第１の直流リアクトル２１ｂ−１のキャパシタ電圧ＶC1によるクランプ電圧を検出し、検出信号βを制御回路４０に送る。制御回路４０中の電圧判定部４４bは、検出信号βによるキャパシタ電圧ＶCに基づいてキャパシタの充電状態を判定する。
【０１１７】
出力電圧Ｖoには、直流電源の直流電圧ＶABに第１の直流リアクトル２１ｂ−１のリアクトル電圧ＶDCL1と第２の直流リアクトル２１ｂ−２のリアクトル電圧ＶDCL2が重畳された電圧（Ｖo＝ＶAB＋ＶDCL1＋ＶDCL2）が出力される。第１の直流リアクトル２１ｂ−１のリアクトル電圧ＶDCL1はキャパシタ電圧ＶC1にクランプされるため、出力電圧ＶoはＶo＝ＶAB＋ＶC1＋ＶDCL2となる。
【０１１８】
［直流パルス電源装置の第３の構成］
図８を用いて本発明の直流パルス電源装置の第３の構成例について説明する。第３の構成例は、パルス部２０Ｃの昇圧チョッパ回路の構成において第１，２の構成例と相違し、その他の構成は第１，２の構成例と同様である。以下、第１，２の構成例と相違する構成について説明し、その他の共通する構成の説明は省略する。
【０１１９】
第２の構成例の昇圧チョッパ回路が備える直流リアクトル２１ｂはタップ付き単巻きトランスで構成される。これに対して、第３の構成例の直流リアクトル２１ｃは、第２の構成例の昇圧チョッパ回路のタップ付き単巻きトランスに代えて複巻きトランスで構成される。直流リアクトル２１ｃの複巻きトランスは加極性の変圧器の例を示している。
【０１２０】
複巻きトランスによる直流リアクトル２１ｃは、磁気結合された第１の直流リアクトル２１ｃ−１と第２の直流リアクトル２１ｃ−２とが並列接続された構成である。第１の直流リアクトル２１ｃ−１の一端は直流電源の低電圧側の端子Ａに接続され、他端はスイッチング素子２２のソースＳ端に接続される。第２の直流リアクトル２１ｃ−２の一端はスイッチング素子２２のソースＳ端に接続され、他端は負荷側に接続される。
【０１２１】
スイッチング素子２２がオン状態のときは、直流リアクトル２１ｃの第１の直流リアクトル２１ｃ−１のスイッチング素子２２側の端部は接地され、端子Ｂからオン状態にあるスイッチング素子２２、及び第１の直流リアクトル２１ｃを介して端子Ａに直流リアクトル電流が流れる。この際、直流リアクトルにより第１の直流リアクトル２１ｃに電磁エネルギーが蓄積される。
【０１２２】
次に、スイッチング素子２２がオン状態からオフ状態に切り替わると、直流リアクトル２１ｃの第１の直流リアクトル２１ｃ−１に蓄積された蓄積エネルギーにより第１の直流リアクトル２１ｃ−１にはリアクトル電圧ＶDCL1が発生し、第２の直流リアクトル２１ｃ−２には第１の直流リアクトル２１ｃ−１との磁気結合によりリアクトル電圧ＶDCL2が発生する。昇圧チョッパ回路は、スイッチング素子２２のオン動作とオフ動作を繰り返すことにより、第１，２の構成例と同様に出力電圧Ｖoを上昇させる。
【０１２３】
第１の直流リアクトル２１ｃ−１のリアクトル電圧ＶDCL1と第２の直流リアクトル２１ｃ−２のリアクトル電圧ＶDCL2との電圧比は、第１の直流リアクトル２１ｃ−１と第２の直流リアクトル２１ｃ−２のインダクタンス比の比率に対応した値となる。直流リアクトル２１ｃの第１の直流リアクトル２１ｃ−１と第２の直流リアクトル２１ｃ−２の複巻きコイルの巻き数比が（ｎ1p：ｎ2p）とした場合には、第１の直流リアクトル２１ｃ−１のリアクトル電圧ＶDCL1と第２の直流リアクトル２１ｃ−２のリアクトル電圧ＶDCL2との電圧比（ＶDCL1／ＶDCL2）は巻き数比（ｎ1p／ｎ2p）となる。
【０１２４】
第３の構成例の回生部は、第２の構成例の直流リアクトル２１ｂの第１の直流リアクトル２１ｂ−１のリアクトル電圧ＶDCL1と同様に動作する。
【０１２５】
回生部３０において、キャパシタ３２（Ｃ1）の一端は直流リアクトル２１ｃの第１の直流リアクトル２１ｃ−１のスイッチング素子側の端部に接続され、他端はダイオード３１を介して第１の直流リアクトル２１ｃ−１の直流電源側端部に接続され、第１の直流リアクトル２１ｃ−１に発生するリアクトル電圧ＶDCL1が印加される。キャパシタ３２（Ｃ1）のキャパシタ電圧ＶC1は、直流電源の直流電圧ＶAB及び変圧器の変圧比に基づいて定まり、変圧器３４の変圧比が（ｎ2：ｎ1）である場合にはＶC1＝（ｎ2／ｎ1）×ＶABの設定電圧となる。ダイオード３１はパルス部から回生部３０のキャパシタ３２（Ｃ1）に向かう方向を順方向として接続され、第１の直流リアクトル２１ｃ−１のリアクトル電圧ＶDCL1がキャパシタ３２（Ｃ1）のキャパシタ電圧ＶC1を越えた場合に、リアクトル電圧ＶDCL1がキャパシタ３２（Ｃ1）のキャパシタ電圧ＶC1を越えた電圧分について回生部３０による回生が行われる。したがって、回生部３０は第１，２の構成例と同様にキャパシタ３２（Ｃ1）のキャパシタ電圧ＶC1をしきい値として回生動作を行う。
【０１２６】
回生部３０は、第１の構成例と同様に電圧クランプ部を構成し、直流リアクトル２１ｃ−１の両端電圧を電圧クランプする。また、電圧検出部６０は、直流リアクトル２１ｃ−１のキャパシタ電圧ＶC1によるクランプ電圧を検出し、検出信号βを制御回路４０に送る。制御回路４０中の電圧判定部４４bは、検出信号βによるキャパシタ電圧ＶCに基づいてキャパシタの充電状態を判定する。
【０１２７】
出力電圧Ｖoには、直流電源の直流電圧ＶABに第１の直流リアクトル２１ｃ−１のリアクトル電圧ＶDCL1と第２の直流リアクトル２１ｃ−２のリアクトル電圧ＶDCL2が重畳された電圧（Ｖo＝ＶAB＋ＶDCL1＋ＶDCL2）が出力される。第１の直流リアクトル２１ｃ−１のリアクトル電圧ＶDCL1はキャパシタ電圧ＶC1にクランプされるため、出力電圧ＶoはＶo＝ＶAB＋ＶC1＋ＶDCL2となる。なお、第１の直流リアクトル２１ｃ−１と第２の直流リアクトル２１ｃ−２との巻き数比が（ｎ1p／ｎ2p）であるときには、リアクトル電圧ＶDCL1及びＶDCL2は（ＶDCL1／ＶDCL2＝ｎ1p／ｎ2p）で表される。
【０１２８】
［直流パルス電源装置の第４の構成］
図９を用いて本発明の直流パルス電源装置の第４の構成例について説明する。第４の構成例は、パルス部２０Ｄの昇圧チョッパ回路の直流リアクトルを構成するトランスの構成において第３の構成例と相違し、その他の構成は第３の構成例と同様である。
【０１２９】
第３の構成例の昇圧チョッパ回路が備える直流リアクトル２１ｃは加極性の複巻きトランスで構成される。これに対して、第４の構成例の直流リアクトル２１ｄは、第３の構成例の昇圧チョッパ回路の加極性の複巻きトランスに代えて減極性の複巻きトランスで構成される。
【０１３０】
複巻きトランスによる直流リアクトル２１ｄは、磁気結合された第１の直流リアクトル２１ｄ−１と第２の直流リアクトル２１ｄ−２とを並列接続する構成である。第１の直流リアクトル２１ｄ−１の一端は直流電源の低電圧側の端子Ａに接続され、他端はスイッチング素子２２のソースＳ端に接続される。第２の直流リアクトル２１ｄ−２の一端は直流電源の低電圧側の端子Ａに接続され、他端は負荷側に接続される。
【０１３１】
スイッチング素子２２がオン状態のときは、直流リアクトル２１ｄの第１の直流リアクトル２１ｄ−１のスイッチング素子２２側の端部は接地され、端子Ｂからオン状態にあるスイッチング素子２２、及び第１の直流リアクトル２１ｄ−１を介して端子Ａに直流リアクトル電流が流れる。この際、直流リアクトルにより第１の直流リアクトル２１ｄ−１に電磁エネルギーが蓄積される。
【０１３２】
次に、スイッチング素子２２がオン状態からオフ状態に切り替わると、直流リアクトル２１ｄの第１の直流リアクトル２１ｄ−１に蓄積された蓄積エネルギーにより第１の直流リアクトル２１ｄ−１にはリアクトル電圧ＶDCL1が発生し、第２の直流リアクトル２１ｄ−２には第１の直流リアクトル２１ｄ−１との磁気結合によりリアクトル電圧ＶDCL2が発生する。昇圧チョッパ回路は、スイッチング素子２２のオン動作とオフ動作を繰り返すことにより、第１，２，３の構成例と同様に出力電圧Ｖoを上昇させる。
【０１３３】
第１の直流リアクトル２１ｄ−１のリアクトル電圧ＶDCL1と第２の直流リアクトル２１ｄ−２のリアクトル電圧ＶDCL2との電圧比は、第１の直流リアクトル２１ｄ−１と第２の直流リアクトル２１ｄ−２のインダクタンス比の比率に対応した値となる。直流リアクトル２１ｄの第１の直流リアクトル２１ｄ−１と第２の直流リアクトル２１ｄ−２の複巻きコイルの巻き数比が（ｎ1p：ｎ2p）とした場合には、第１の直流リアクトル２１ｄ−１のリアクトル電圧ＶDCL1と第２の直流リアクトル２１ｄ−２のリアクトル電圧ＶDCL2との電圧比（ＶDCL1／ＶDCL2）は巻き数比（ｎ1p／ｎ2p）となる。
【０１３４】
第４の構成例の回生部の直流リアクトル２１ｄは、第３の構成例の直流リアクトル２１ｃの第１の直流リアクトル２１ｃのリアクトル電圧ＶDCL1と同様に動作する。
【０１３５】
回生部３０において、キャパシタ３２（Ｃ1）の一端は直流リアクトル２１ｄの第１の直流リアクトル２１ｄ−１のスイッチング素子側の端部に接続され、他端はダイオード３１を介して第１の直流リアクトル２１ｄ−１の直流電源側端部に接続され、第１の直流リアクトル２１ｄ−１に発生するリアクトル電圧ＶDCL1が印加される。キャパシタ３２（Ｃ1）のキャパシタ電圧ＶC1は、直流電源の直流電圧ＶAB及び変圧器の変圧比に基づいて定まり、変圧器３４の変圧比が（ｎ2：ｎ1）である場合にはＶC1＝（ｎ2／ｎ1）×ＶABの設定電圧となる。ダイオード３１はパルス部から回生部３０のキャパシタ３２（Ｃ1）に向かう方向を順方向として接続され、第１の直流リアクトル２１ｄ−１のリアクトル電圧ＶDCL1がキャパシタ３２（Ｃ1）のキャパシタ電圧ＶC1を越えた場合に、リアクトル電圧ＶDCL1がキャパシタ３２（Ｃ1）のキャパシタ電圧ＶC1を越えた電圧分について回生部３０による回生が行われる。したがって、回生部３０は第１，２，３の構成例と同様にキャパシタ３２（Ｃ1）のキャパシタ電圧ＶC1をしきい値として回生動作を行う。
【０１３６】
回生部３０は、第１の構成例と同様に電圧クランプ部を構成し、直流リアクトル２１ｄ−１の両端電圧を電圧クランプする。また、電圧検出部６０は、直流リアクトル２１ｄ−１のキャパシタ電圧ＶC1によるクランプ電圧を検出し、検出信号βを制御回路４０に送る。制御回路４０中の電圧判定部４４bは、検出信号βによるキャパシタ電圧ＶCに基づいてキャパシタの充電状態を判定する。
【０１３７】
出力電圧Ｖoには、直流電源の直流電圧ＶABに第２の直流リアクトル２１ｄ−２のリアクトル電圧ＶDCL2が重畳された電圧（Ｖo＝ＶAB＋ＶDCL2）が出力される。なお、第１の直流リアクトル２１ｄ−１と第２の直流リアクトル２１ｄ−２との巻き数比が（ｎ1p／ｎ2p）であるときには、リアクトル電圧ＶDCL1及びＶDCL2は（ＶDCL1／ＶDCL2＝ｎ1p／ｎ2p）で表される。そのため、ＶDCL1がＶC1によってクランプされる場合、出力電圧ＶoはＶo＝ＶAB+ＶC1×(ｎ1p／ｎ2p)で表される。
【０１３８】
［直流パルス電源装置の第５の構成］
図１０を用いて本発明の直流パルス電源装置の第５の構成例について説明する。第５の構成例は、昇圧チョッパ回路の直流リアクトルの設置態様において第２の構成例と相違し、その他の構成は第２の構成例と同様である。以下、第２の構成例と相違する構成について説明し、その他の共通する構成の説明は省略する。
【０１３９】
第５の構成例の昇圧チョッパ回路が備える直流リアクトル２１ｅは第２の構成例の昇圧チョッパ回路の直流リアクトル２１ｂと同様にトラップ付き単巻きトランスで構成されるが、電源ラインに対する設置態様において相違する。第２の構成例の直流リアクトル２１ｂは直流電源の低電圧側の電源ラインに接続されるのに対して、第５の構成例の直流リアクトル２１ｅは直流電源の高電圧側の電源ラインに接続される。
【０１４０】
タップ付き単巻きトランスによる直流リアクトル２１ｅは、磁気結合された第１の直流リアクトル２１ｅ−１と第２の直流リアクトル２１ｅ−２とを直列接続して構成され、第１の直流リアクトル２１ｅ−１と第２の直流リアクトル２１ｅ−２の接続点をタップ点としている。第１の直流リアクトル２１ｅ−１の一端は直流電源の高電圧側の端子Ｂに接続され、第２の直流リアクトル２１ｅ−２の一端は負荷側に接続されて接地され、第１の直流リアクトル２１ｅ−１と第２の直流リアクトル２１ｅ−２の接続点のタップ点はスイッチング素子２２のドレインＤ端に接続される。
【０１４１】
スイッチング素子２２がオン状態のときは、直流リアクトル２１ｅの接続点のタップ点は第２の直流リアクトル２１ｅ−２を介して接地され、端子Ｂから第１の直流リアクトル２１ｅ−１、及びオン状態にあるスイッチング素子２２を介して端子Ａに直流リアクトル電流が流れる。この際、直流リアクトルにより第１の直流リアクトル２１ｅ−１に電磁エネルギーが蓄積される。
【０１４２】
次に、スイッチング素子２２がオン状態からオフ状態に切り替わると、直流リアクトル２１ｅの第１の直流リアクトル２１ｅ−１に蓄積された蓄積エネルギーにより第１の直流リアクトル２１ｅ−１にはリアクトル電圧ＶDCL1が発生し、第２の直流リアクトル２１ｅ−２にはリアクトル電圧ＶDCL2が発生する。昇圧チョッパ回路は、スイッチング素子２２のオン動作とオフ動作を繰り返すことにより、第１の構成例と同様に出力電圧Ｖoを上昇させる。
【０１４３】
第１の直流リアクトル２１ｅ−１のリアクトル電圧ＶDCL1と第２の直流リアクトル２１ｅ−２のリアクトル電圧ＶDCL2との電圧比は、第１の直流リアクトル２１ｅ−１と第２の直流リアクトル２１ｅ−２のインダクタンス比の比率に対応した値となる。直流リアクトル２１の第１の直流リアクトル２１ｅ−１と第２の直流リアクトル２１ｅ−２のタップ付き単巻きコイルの巻き数比をｎ1p：ｎ2pとした場合には、第１の直流リアクトル２１ｅ−１のリアクトル電圧ＶDCL1と第２の直流リアクトル２１ｅ−２のリアクトル電圧ＶDCL2との電圧比（ＶDCL1／ＶDCL2）は巻き数比（ｎ1p／ｎ2p）となる。
【０１４４】
第５の構成例の回生部３０は、第１の構成例の直流リアクトル２１ａのリアクトル電圧ＶDCLに代えて直流リアクトル２１ｅの第１の直流リアクトル２１ｅ−１のリアクトル電圧ＶDCL1を適用することで同様に動作する。
【０１４５】
回生部３０において、キャパシタ３２（Ｃ1）の一端は直流リアクトル２１ｅの第１の直流リアクトル２１ｅ−１と第２の直流リアクトル２１ｅ−２の接続点に接続され、他端はダイオード３１を介して第１の直流リアクトル２１ｅ−１の直流電源側端部に接続され、第１の直流リアクトル２１ｅ−１に発生するリアクトル電圧ＶDCL1が印加される。キャパシタ３２（Ｃ1）のキャパシタ電圧ＶC1は、直流電源の直流電圧ＶAB及び変圧器の変圧比に基づいて定まり、変圧器３４の変圧比が（ｎ2：ｎ1）である場合にはＶC1＝（ｎ2／ｎ1）×ＶABの設定電圧となる。ダイオード３１はパルス部２０Ｄから回生部３０のキャパシタ３２（Ｃ1）に向かう方向を逆方向として接続され、第１の直流リアクトル２１ｅ−１のリアクトル電圧ＶDCL1がキャパシタ３２（Ｃ1）のキャパシタ電圧ＶC1を越えた場合に、リアクトル電圧ＶDCL1がキャパシタ３２（Ｃ1）のキャパシタ電圧ＶC1を越えた電圧分について回生部３０による回生が行われる。したがって、回生部３０は第１の構成例と同様にキャパシタ３２（Ｃ1）のキャパシタ電圧ＶC1をしきい値として回生動作を行う。
【０１４６】
回生部３０は、第１の構成例と同様に電圧クランプ部を構成し、直流リアクトル２１ｅ−１の両端電圧を電圧クランプする。また、電圧検出部６０は、直流リアクトル２１ｅ−１のキャパシタ電圧ＶC1によるクランプ電圧を検出し、検出信号βを制御回路４０に送る。制御回路４０中の電圧判定部４４bは、検出信号βによるキャパシタ電圧ＶCに基づいてキャパシタの充電状態を判定する。
【０１４７】
出力電圧Ｖoには、直流電源の直流電圧ＶABに第１の直流リアクトル２１ｅ−１のリアクトル電圧ＶDCL1と第２の直流リアクトル２１ｅ−２のリアクトル電圧ＶDCL2が重畳された電圧（Ｖｏ＝ＶAB＋ＶDCL1＋ＶDCL2）が出力される。第１の直流リアクトル２１ｅ−１のリアクトル電圧ＶDCL1はキャパシタ電圧ＶC1にクランプされるため、出力電圧ＶoはＶo＝ＶAB＋ＶC1＋ＶDCL2となる。
【０１４８】
第１の構成例〜第５の構成例に示した直流パルス電源装置において、制御回路部４０は、一定周期でパルス出力を生成するパルスモードのパルス動作を制御するパルスモード制御部を備え、パルスモード制御部は、パルス幅を可変とするデューティー制御部を備える。デューティー制御部は、パルス動作の初期段階において、スイッチング素子を閉じて直流リアクトルに流れる直流リアクトル電流のパルス幅を漸増させることにより、スイッチング素子がオン状態の電圧時間積と、スイッチング素子がオフ状態の電圧時間積との差分が増加することを抑制し、パルスモードの初期段階における磁気飽和の発生を抑制する。
【０１４９】
また、スイッチング素子のＳ端子の電圧をサージ電圧よりも低い電圧にクランプして、スイッチング素子に加わる過剰な電圧上昇を抑制すると共に、パルスモード制御部のデューティー制御により、直流リアクトル２１ａ〜２１ｅの磁気飽和をリセットさせる。
【０１５０】
なお、上記実施の形態及び変形例における記述は、本発明に係る直流パルス電源装置の一例であり、本発明は各実施の形態に限定されるものではなく、本発明の趣旨に基づいて種々変形することが可能であり、これらを本発明の範囲から排除するものではない。
【産業上の利用可能性】
【０１５１】
本発明の直流パルス電源装置は、プラズマ発生装置に電力を供給する電力源として適用する他、パルスレーザ励起、放電加工機等の負荷へパルス出力を供給する電源装置として用いることができる。
【符号の説明】
【０１５２】
１    直流パルス電源装置
２    交流電源
３  出力ケーブル
５  負荷
１０  直流電源部
１１  整流器
１２  スナバ回路
１３  単相インバータ回路
１４  単相変圧器
１５  整流器
１６  キャパシタ
２０  パルス部
２０Ａ〜２０Ｄ  パルス部
２１，２１ａ〜２１ｅ  直流リアクトル
２２  スイッチング素子
２３  駆動回路
３０  回生部
３０clamp  電圧クランプ部
３１  ダイオード
３２  キャパシタ
３３  インバータ回路
３３ａ  ブリッジ回路
３３ｂ駆動回路
３４  変圧器
３５  整流器
４０  制御回路部
４１  モード切替部
４２  イグニッションモード制御部
４３  直流モード制御部
４４  パルスモード制御部
４４a  周期検出部
４４b  電圧判定部
４４c  デューティー制御部
４４c1  開始デューティー部
４４c2  遷移デューティー部
４４c3  定常デューティー部
４４ｃ  デューティー制御部
５０  負荷
６０  電圧検出部
１００  直流パルス電源装置
１１０  直流電源部
１２０  パルス部
１２１  直流リアクトル
１２２  スイッチング素子
１２３  駆動回路
１４０  制御回路部
１５０  負荷
ＱR1-ＱR4  スイッチング素子
ｉDCL  直流リアクトル電流
ΔＶC            電圧変化
α      制御信号
β      検出信号
【図１】
2020174485.tif 000003
【図２】
2020174485.tif 000004
【図３】
2020174485.tif 000005
【図４】
2020174485.tif 000006
【図５】
2020174485.tif 000007
【図６】
2020174485.tif 000008
【図７】
2020174485.tif 000009
【図８】
2020174485.tif 000010
【図９】
2020174485.tif 000011
【図１０】
2020174485.tif 000012
【図１１】
2020174485.tif 000013
【図１２】
2020174485.tif 000014
【図１３】
2020174485.tif 000015
【図１４】
2020174485.tif 000016
【図１５】
2020174485.tif 000017